(57)【要約】【課題】綿棒収納部と薬液収納部とを一体に設けてなり、使用前には薬液が不測に綿棒の綿球に含浸するのを防止しておくことができ、使用時には、簡単且つ確実に含浸させることができる綿棒包装容器を提供する。【解決手段】長方形状のシート1aに綿棒10の軸部11の収納凹部２と、綿球12の収納凹部３と、薬液収容凹部４とを設けてなる容器主体１を剥離可能な密封シート６によって被覆してなる綿棒包装容器において、上記綿球収納凹部３と薬液収容凹部４間の重合シート部８に薬液収容凹部４から綿球収納凹部３に連通する薬液通路５を設けていると共に、この重合シート部８を長さ方向に展開可能に三つ折りして該薬液通路５の連通を遮断してあり、使用時には、容器主体１の両端部を引張ることによって展開させ、薬液収容凹部４を指先で押圧することにより薬液通路５を通じて薬液を所望量、綿球に付着させる。【選択図】図１
2010029490.tif 000002
【特許請求の範囲】
【請求項１】
容器主体は、平面長方形状の軟質合成樹脂製シートに、先端に綿球を取り付けている綿棒の軸部収納凹部と、この軸部収納凹部の先端にその基端を連通させている綿球収納凹部と、この綿球収納凹部の先端側に間隔を存して形成された薬液収容凹部とを設けてなると共に、この容器主体上に上記軸部収納凹部から薬液収容凹部に亘ってこれらの凹部を密封した密封シート材を剥離可能に貼着してあり、さらに、綿球収納凹部と薬液収容凹部間の上記間隔部のシート部に薬液収容凹部から綿球収納凹部に通じる薬液通路を設けていると共にこのシート部を該シート部上に貼着している上記密封シート部分と共に容器主体の長さ方向に展開可能に三つ折りし、この折り畳みによって薬液通路を閉止していることを特徴とする綿棒包装容器。
【請求項２】
薬液通路は、薬液収容凹部と綿球収納凹部間のシート部の上面に、これらの薬液収容凹部と綿球収納凹部間を連通させた細長い溝を設けると共にこの溝を上記シート部上に密着している密封シート部分によって被覆することにより形成された小径溝孔からなることを特徴とする請求項１に記載の綿棒包装容器。
【発明の詳細な説明】
【技術分野】
【０００１】
本発明は、綿棒と薬液とを一体的に包装してなり、使用時に薬液を綿棒の綿球に含浸させて患部等に塗布するように構成した綿棒包装容器に関するものである。
【背景技術】
【０００２】
綿棒は従来から、その軸部を摘んで該軸部の先端に装着している綿球を耳などに挿入して耳垢などの除去を行うために使用されるが、それ以外に綿棒の綿球に薬液を含浸させて患部の皮膚に塗布することにより消毒や治療等を行うためにも使用されている。この際、使用前においては綿棒を衛生的に収納しておき、使用時には該綿棒の綿球に薬液を直ちに含浸させるように構成した綿棒包装容器が開発されている。
【０００３】
このような綿棒包装容器としては、例えば、特許文献１に記載されているように、綿棒の軸部収納凹部とこの軸部収納凹部の先端側に該軸部収納凹部に連通状態で設けられた綿球収納凹部とを有し、この綿球収納凹部の先端部内に薬液袋を配設、保持すると共に軸部収納凹部と綿球収納凹部との上端開口部を剥離可能なシート材によって密閉し、さらに、このシート材の先端部下面に先端が先鋭な突起を上記薬液袋に向かって突設してなり、使用に際しては、シート材の先端部を下方に押圧して撓ませることにより、上記突起で薬液袋を破壊させ、薬液を綿球収納凹部内に流出させ、該綿球に含浸させるように構成した構造の容器が開発されている。
【０００４】
また、特許文献２に記載されているように、上端開口端面を剥離可能なシート材によって密閉されている綿棒収納凹部における綿球収納凹部側と薬液収容凹部間を隔離部によって仕切り、使用時に綿棒の綿球を隔離部に押圧することよって隔離部を破断して綿球に薬液収容凹部内の薬液を塗布、含浸させるように構成した綿棒包装容器も知られている。
【０００５】
さらに、特許文献３には、綿棒収納凹部と薬液収容凹部とを分離帯部を介して仕切り、これらの凹部の開口端を密閉しているシート材における上記分離帯部に融着している部分を弱シールにして、使用時に、薬液収容凹部を押圧することによって該凹部内に発生する高圧力により分離帯部に融着している弱シールを剥離して薬液収容凹部と綿棒収納凹部間を連通させるように構成した綿棒包装容器が開示されている。
【０００６】
【特許文献１】特開平１０−１２００４１号公報
【特許文献２】実開平７−３９８１８号公報
【特許文献３】特許第３６５４８７０号公報
【発明の開示】
【発明が解決しようとする課題】
【０００７】
しかしながら、特許文献１に記載された構造の綿棒包装容器では、保管時や携行中などにおいて、綿球収納凹部の上端開口部を密閉しているシート材部分に不測に外力が作用すると、該シート材部分が容易に下方に撓み変形してその下面に突設している突起が綿球収納凹部内に設けている液体袋を突き破ってしまう虞れがあった。このため、液体袋を比較的弾力性を有する柔軟で且つ強度を有する合成樹脂材によって構成しているが、そうするとシート材を大きく下方に撓ませて突起を液体袋に押圧しても、薬液袋を破裂させることができない事態が発生することになり、その上、包装容器が不透明である場合には薬液袋が破壊したかを外部から確認することができない等の問題点がある。
【０００８】
一方、上記特許文献２や特許文献３に記載の綿棒包装容器によれば、上記のような突起を設けることなく押圧力によって薬液収容凹部と綿棒収納凹部とを連通させることができるが、前者の綿棒包装容器のように、綿棒の綿球を隔離部に押圧することによって該隔離部を破断して綿球収納凹部を薬液収容凹部に連通させるには、綿球の先端部に対応する隔離部が薬液収容凹部の全幅に亘って全面的に閉止した構造となっているために、該綿球の先端部を強く隔離部に押し付けて隔離部を押圧方向に対して直交する方向にも大きく押圧力を作用させながら破断させなければならず、そのため、綿球が圧潰変形したり損傷する虞れがあり、また、小さな押圧力で隔離部を破断するように構成した場合には、携行中等において僅かな外力によって不測に隔離部が破断してしまう虞れがあった。
【０００９】
その上、隔離部を破断させると、薬液収容凹部内の薬液が急激に綿球収納凹部側に流動して綿棒収納凹部側にも流入し、綿球に所望量の薬液を正確に含浸させることが困難となるばかりでなく、綿棒の軸部に薬液が付着して使用勝手が悪くなるいった問題点が生じることになる。
【００１０】
また、後者の綿棒包装容器のように、密封シート材による綿棒収納凹部と薬液収容凹部との間の分離帯部のシール部を融着力の小さい弱シール部に形成して、使用時に、薬液収容凹部を押圧することによって該弱シール部からシート材部分を剥離させるように構成している場合においても、薬液収容凹部を密封しているシール材に不測に押圧力が作用すると弱シール部が剥がれてしまう虞れがあると共に、該弱シール部が大きく剥離して上述したように薬液収容凹部内の薬液が急激に綿球収納凹部側に流入する事態が発生することになる。さらに、薬液収容凹部上のシート材部分を薬液収容凹部内に向かって押圧変形させる操作を行う時に、該薬液収容凹部が破裂して薬液が飛び散るのではないかとの不安感を与えるといった問題点がある。
【００１１】
本発明はこのような問題点に鑑みてなされたもので、その目的とするところは、使用前には、薬液が不測に綿球収納凹部側に流入するのを確実に阻止した形態を保持し、使用時には、薬液を綿球収納凹部側に急激に流入させることなく、所望量、簡単且つ円滑に流入させることができる綿棒包装容器を提供するにある。
【課題を解決するための手段】
【００１２】
上記目的を達成するために本発明の綿棒包装容器は、請求項１に記載したように、平面長方形状の軟質合成樹脂製シートに、先端に綿球を取り付けている綿棒の軸部収納凹部と、この軸部収納凹部の先端にその基端を連通させている綿球収納凹部と、この綿球収納凹部の先端側に間隔を存して形成された薬液収容凹部とを設けてなる容器主体に、上記軸部収納凹部から薬液収容凹部に亘ってこれらの凹部を密封した密封シート材を剥離可能に貼着してなり、さらに、綿球収納凹部と薬液収容凹部間の上記間隔部のシート部に薬液収容凹部から綿球収納凹部に通じる薬液通路を設けていると共に、このシート部を該シート部上に貼着している上記密封シート部分と共に容器主体の長さ方向に展開可能に三つ折りし、この折り畳みによって薬液通路を閉止してなる構造を有している。
【００１３】
このように構成した綿棒包装容器において、請求項２に係る発明は、薬液収容凹部と綿球収納凹部間の上記シート部に、これらの薬液収容凹部と綿球収納凹部間を連通させた細長い溝を設けると共にこの溝を仕切りシート部上に密着している密封シート部分によって被覆することにより小径溝孔に形成し、この小径溝孔によって上記薬液通路を形成していることを特徴とする。
【発明の効果】
【００１４】
請求項１に係る発明によれば、軟質合成樹脂製シートよりなる容器主体における綿球収納凹部と薬液収容凹部との間のシート部に薬液収容凹部から綿球収納凹部に通じる薬液通路を設けていると共にこのシート部を、綿棒の軸部収納凹部から薬液収容凹部に亘ってこれらの凹部を開放可能に密封した密封シート材における上記シート部上に貼着している密封シート部分と共に容器主体の長さ方向に展開可能に三つ折りし、この折り畳みによって薬液通路を閉止しているので、保管時や携行中などにおいて、薬液収容凹部を密閉している密封シート部分に不測に押圧力が作用しても、該薬液収容凹部内の薬液が薬液通路を通じて綿球収納凹部側に流入するのを三つ折りされた該薬液通路を設けているシート部によって強固に防止することができ、その上、三つ折りによって薬液収容凹部と綿球収納凹部間のシート部分が肉厚になっているから、薬液収容凹部に不測に外圧が作用して液圧が上昇しても、さらには、綿棒が収納凹部内で妄動しても密封シート部分が剥離したり、三つ折り部分が破壊したりする虞れはなく、薬液を確実に薬液収容凹部内に封入した形態を保持することができる。
【００１５】
また、使用に際して、薬液収容凹部と綿球収納凹部とを互いに離間させる方向に引っ張ると、三つ折りしたシート部が簡単に容器主体の長さ方向に展開して薬液通路を薬液収容凹部と綿球収納凹部とに連通させることができ、この状態にして綿球収納凹部を指先で押圧することより、薬液通路を通じて該綿球収納凹部内の薬液を綿球収納凹部内に円滑に流入させることができると共に、薬液通路は一定の大きさ、形状に形成されているから、綿球収納凹部に対する押圧力が比較的大きくても、薬液収容凹部からの薬液の急激な流通を阻止しながら綿球収納凹部側に定量的に供給することができる。
【００１６】
さらに、綿球収納凹部に対する押圧力を解けば、綿球収納凹部が薬液通路を通じて綿球収納凹部に連通しているにもかかわらず、薬液収容凹部から綿球収納凹部への薬液の流動、供給を停止することができ、従って、綿球収納凹部内に設けている綿棒の綿球に薬液を必要量だけ付着、含浸させることができると共に、綿棒の軸部側に薬液が流入する虞れをなくして軸部を摘んでの綿棒の使用勝手を良好にすることができる。
【００１７】
請求項２に係る発明によれば、上記薬液通路は、薬液収容凹部と綿球収納凹部間のシート部の上面に、これらの薬液収容凹部と綿球収納凹部間を連通させた細長い溝を設けると共にこの溝を上記シート部上に密着している密封シート部分によって被覆することにより形成された小径溝孔からなるものであるから、所望径で所望数の小径溝孔を簡単に形成することができ、多量生産に適した綿棒包装容器を提供することができる。
【発明を実施するための最良の形態】
【００１８】
本発明の具体的な実施の形態を図面について説明すると、図１は綿棒を収納している綿棒包装容器の縦断側面図、図２はその要部の拡大縦断側面図、図３は簡略斜視図、図４は使用に際して上記要部を展開し且つ密封シートを剥離した状態の平面図、図５はその要部の拡大縦断側面図であって、容器主体１は、軟質のポリエチレン、ポリプロピレン、ポリ塩化ビニル等の平面長方形状の軟質合成樹脂製シート1aに、綿棒10の軸部収納凹部２と、綿球収納凹部３と、薬液収納凹部４とを形成してなるものである。
【００１９】
上記軸部収納凹部２は、上記平面長方形状の軟質合成樹脂製シート1aの幅方向の中央部において、該シート1aの基端部から先端部に向かって所定の長さ部分を下方に向かって膨出成形することによって形成されてあり、この軸部収納凹部２の先端に綿棒10の上記綿球収納凹部３の基端を連通させた状態にして、シート1aの幅方向の中央部における所定長さ部分を下方に向かって膨出成形することにより、軸部収納凹部２よりも幅広く且つ深さも深い綿球収納凹部３を形成している。さらに、上記薬液収容凹部４は、綿球収納凹部３の先端からその基端を一定の間隔を存した状態でシート1aの先端部における幅方向の中央部を下方に向かって膨出成形することによって形成されてあり、この薬液収容凹部４の基端と上記綿球収納凹部３の先端間のシート部1a' によってこれらの綿球収納凹部３と薬液収容凹部４との連通を遮断していると共に、このシート部1a' に、図４、図５に示すように薬液収容凹部３から綿球収納凹部４に通じる小幅の薬液通路５を形成するための小幅の細長い溝5aを設けている。
【００２０】
この細長い溝5aは、シート部1a' の中央部を一定の幅でもって全長に亘り下方に向かって一定深さだけ膨出成形してなる直状の溝からなるが、１本に限らず、数本の溝をシート部1a' に設けておいてもよい。
【００２１】
このように構成した容器主体１は、この容器主体１を形成しているシート1aの上面に、このシート1aと略同一長さと同一幅を有する薄い軟質合成樹脂よりなる平面長方形状の密封シート６を重ね合わせて軸部収納凹部２や綿球収納凹部３及び薬液収容凹部４の開口端周囲のシート部によって形成されている水平状のフランジ部1a''（図４に示す）に熱融着により剥離可能に貼着して、綿棒10の軸部11と該軸部11の先端に装着している綿球12とをそれぞれ収納した上記収納凹部２、３及び薬液７を収容した上記薬液収容凹部４を密閉している。なお、この密封シート６は、容器主体１を形成している上記軟質合成樹脂製シート1aと必ずしも同じ軟質合成樹脂製シートから形成しておく必要はなく、互いに融着可能な軟質合成樹脂から形成しておけばよい。
【００２２】
さらに、図５に示すように、この密封シート６における上記綿球収納凹部３と薬液収容凹部４間のシート部1a’上に重ね合わせた密封シート部分6aもシート部1a’に熱融着により剥離可能に貼着してシート部1a' に設けている上記細長い溝5aの開口上端を被覆することにより、この細長い溝と被覆した密封シート部分6aの下面との空間部によって綿球収納凹部３と薬液収容凹部４間を連通させた小径溝孔5'からなる薬液通路５を形成していると共に、シート部1a' と、このシート部1a' 上に重ね合わせた密封シート部分6aとを一体的（以下、互いに重なりあったこれらのシート部1a' と密封シート部分6aを重合シート部８という）に図１〜図３に示すように、長さ方向に展開可能に三つ折りして薬液収容凹部４からの綿球収納凹部３への薬液の流通を遮断している。
【００２３】
具体的には、図４に点線で示すように、重合シート部８にその長さを３分割する位置に折目9a、9bを設け、先端側の折目9aを谷折目とする一方、基端側の折目9bを山折目として図１〜図３に示すようにこれらの折目9a、9bから折り曲げると、谷折目9aからこれらの折目9a、9b間の重合シート部分8aが薬液収容凹部４と該谷折目9a間の重合シート部分8b上に折り返されて重なり合うと共に、山折目9bから該山折目9bと綿球収納凹部３の先端間の重合シート部分8cが上記折目9a、9b間の重合シート部分8aとは逆方向に折り返されてこの重合シート部分8a上に重なった状態となる。即ち、重合シート部８を折目9a、9bを介してＺ状に三つ折りしてあり、折目9a、9bの折り曲げによって薬液通路５を閉止した構造としている。
【００２４】
また、互いに重なりあった重合シート部分8a、8b、9c間を粘着剤や接着剤によって分離可能に接着し、この重合シート部８を介して設けられている綿球収納凹部３と薬液収容凹部４とを互いに離間させる方向に引っ張ることにより、粘着剤又は接着剤から互いに剥離して重合シート部分8a、8b、9cを展開可能に構成している。なお、重合シート部８に設けている折目9a、9bにおいて、先端側の折目9aを谷折目とする一方、基端側の折目9bを山折目としているが、先端側の折目9aを山折目とする一方、基端側の折目9bを谷折目として三つ折りを行ってもよい。
【００２５】
このように構成した綿棒包装容器の使用態様を説明すると、未使用時には図１〜図３に示すように、容器主体１の先端部に設けている薬液収容凹部４と、綿棒収納凹部２の先端に連設している綿球収納凹部３間に設けられた重合シート部８が三つ折りされていて該重合シート部８に設けている薬液通路５が綿球収納凹部３と薬液収容凹部４に不通状態となっており、従って、薬液収容凹部４から該薬液通路５を通じての薬液７の流通が遮断されていて、保管時や携行中などにおいて、薬液収容凹部４を密閉している密封シート部分6aに不測に押圧力が作用しても、薬液収容凹部４内の薬液７が薬液通路５を通じて綿球収納凹部３側に流入することもなく、三つ折りした重合シート部８が破れたり密封シート部分6aが剥離する虞れもなく、薬液７を確実に薬液収容凹部４内に封入した形態を保持することができる。
【００２６】
次に、使用に際しては、図３に示すように、容器主体１における薬液収容凹部４を設けている先端部と、軸部収納凹部２を設けている基端部とを摘んで、互いに離間する方向に引っ張ると、三つ折りされている重合シート部８がその引張力によって図６に示すように展開され、該重合シート部８に設けている薬液通路５が真っ直ぐな直線状の通路となって綿球収納凹部３側にも薬液収容凹部４側にも連通した状態となる。
【００２７】
この状態にして図７、図８に示すように、綿球収納凹部３を指先で摘んで該綿球収納凹部４を圧縮変形させると、その押圧力によって薬液収容凹部４内の薬液が薬液通路５を通じて綿球収納凹部３内に流入し、綿球収納凹部３内の綿球12に含浸させることができる。この際、薬液通路５は上記指先による圧縮力によって薬液収容凹部４内に生じる液圧により、薬液を綿球収納凹部３側に流通させる径（断面大きさ）に形成されているので、薬液収容凹部４に対する押圧力を弱めたり、停止した場合には、薬液収容凹部４内の薬液が薬液通路５側に流動することはなく、従って、綿球収納凹部３側に薬液を多量に且つ急激に流入させることなく、必要量の薬液を綿球12に含浸させることができる。
【００２８】
しかるのち、図９に示すように、容器主体１の基端部側から密封シート６を剥離して軸部収納凹部２内に収納している綿棒10の軸部11を摘んで綿棒10を取り出し、綿球12に含浸させている薬液を患部等に塗布するものである。
【図面の簡単な説明】
【００２９】
【図１】綿棒包装容器の縦断側面図。
【図２】その要部の拡大縦断側面図。
【図３】簡略斜視図。
【図４】三つ折り部分を展開し且つ密封シートを剥離した状態の平面図。
【図５】その要部の拡大縦断側面図。
【図６】使用に際して三つ折り部分を展開した状態の斜視図。
【図７】綿球に薬液を含浸させている状態の縦断側面図。
【図８】その要部の拡大縦断側面図。
【図９】密封シートを剥離して容器主体から綿棒を取り出す状態の斜視図。
【符号の説明】
【００３０】
１    容器主体
１ａ  シート
２    軸部収納凹部
３    綿球収納凹部
４    薬液収容凹部
５    薬液通路
６    密封シート
７    薬液
８    重合シート部
８ａ〜８ｃ    重合シート部分
９ａ、９ｂ    折目
１０  綿棒
１１  軸部
１２  綿球
【図１】
2010029490.tif 000003
【図２】
2010029490.tif 000004
【図３】
2010029490.tif 000005
【図４】
2010029490.tif 000006
【図５】
2010029490.tif 000007
【図６】
2010029490.tif 000008
【図７】
2010029490.tif 000009
【図８】
2010029490.tif 000010
【図９】
2010029490.tif 000011